(57)【要約】      （修正有）【課題】スプリンクラーホースの端部継手の角バーへの固定作業が、素早くかつ容易にすることができるスプリンクラー取付装置を提供する。【解決手段】スプリンクラー取付装置１０は、第１部材１４および第２部材４０を備えたブラケットを備え、第２部材は、第１部材の前板と対向し、第１部材の雌ねじ孔と、同軸の孔を有する第２部材前板、およびこの第２部材前板から第１部材側に延び、角バーＢと協働して端部継手Ｓを固定する少なくとも１枚の端部継手保持板が設けられており、この端部継手保持板は、第１部材を、一対の側板の間に端部継手を挟み込んだ状態で、フック部にて角バーに引き掛け、この状態で、第２部材側からボルトＣを第２部材の孔を通して、第１部材の雌ねじ孔またはその背後に設置されるネジ部品に螺合させ、これを締め上げることにより、端部継手を角バーに固定するようになっている。【選択図】図９
2017006222.tif 000002
【特許請求の範囲】
【請求項１】
スプリンクラーヘッドを接続するスプリンクラーホースの端部継手を角バーに固定するスプリンクラー取付装置において、
ブラケットを備え、
前記ブラッケットは、第１部材および第２部材を備え、
前記第１部材は、前記端部継手を挟み込むだけの間隔を有する一対の側板、およびそれらの端部にまたがり、雌ねじ孔を有する前板を備え、前記一対の側板の後部には、前記角バーに引き掛けるためのフック部が形成されており、
前記第２部材は、前記第１部材の前板と対向し、前記第１部材の雌ねじ孔と同軸の孔を有する第２部材前板、およびこの第２部材前板から第１部材側に延び、前記角バーと協働して前記端部継手を固定する少なくとも１枚の端部継手保持板が設けられており、この端部継手保持板は、スプリンクラーホースの端部継手の外形の一部を収容する形状になっており、
前記第１部材を、前記一対の側板の間に前記端部継手を挟み込んだ状態で、前記フック部にて前記角バーに引き掛け、この状態で、前記第２部材側からボルトを前記第２部材の孔を通して第１部材の雌ねじ孔に螺合させ、これを締め上げることにより、前記端部継手を前記角バーに固定する
ことを特徴とするスプリンクラー取付装置。
【請求項２】
前記第1部材の前板が雌ねじ孔に代えてネジ無し孔を有し、前記前板の前記端部継手側にネジ部品を装着した請求項１のスプリンクラー取付装置。
【請求項３】
前記第２部材には、前記第２部材前板の両側部から前記第１部材側に延び、前記ボルトが締め付けられるとき、前記第２部材を前記第１部材側に案内する一対の案内板が設けられている請求項１または２のスプリンクラー取付装置。
【請求項４】
前記ボルトが蝶ボルトである請求項１〜３のいずれかスプリンクラー取付装置。
【請求項５】
前記端部継手が、前記角バー側を平坦面とする多角形状であり、前記端部継手保持板が、該端部継手保持板側の端部継手の面を支える凹部を有している請求項１〜４のいずれかのスプリンクラー取付装置。
【請求項６】
前記第１部材のフック部には、前記角バーの下面と接触する突出部が設けられている請求項１〜５のいずれかのスプリンクラー取付装置。
【発明の詳細な説明】
【技術分野】
【０００１】
本発明は、スプリンクラー取付装置に関し、特に、スプリンクラーヘッドを接続するスプリンクラーホースの端部継手を角バーに固定するスプリンクラー取付装置に関する。
【背景技術】
【０００２】
消防用のスプリンクラーは、火災発生時の初期消火を図る設備として有効な手段であると広く認識されている。スプリンクラーは、水源と加圧送水装置、配管、制御弁、流水検知装置（アラーム弁）、スプリンクラーホース、スプリンクラーヘッドから構成されている。スプリンクラーホースは天井裏に配置され、その片端は送水本管から分岐された配管に接続され、もう一方の片端は天井に設置されるスプリンクラーヘッドに接続される。スプリンクラーヘッドがねじ込み固定されるスプリンクラーホース端は、固定金具により角バーと呼ばれる、例えば、肉厚０．６ｍｍ程度の断面１６ｍｍ×１６ｍｍの矩形のパイプに固定され、角バーは天井取付けフレームに固定された取付け座となるフレームに水平に固定される。
【０００３】
このようなスプリンクラーホース端を角バーに取り付けるスプリンクラー取付装置としては、例えば、特開平７−１５１２６９号公報に記載されているものが知られている。この公開公報に記載されたスプリンクラー取付装置は、スプリンクラーヘッドを接続するスプリンクラーホースの端部継手を角バーに固定するスプリンクラー取付装置において、ブラケットはボルトを備え、前記ブラッケットは、向かい合って配置された、通し孔を有する第１板と、第２板とを有し、これらの板の少なくとも一端が接続され、前記ブラケットの二つの板の間にスプリンクラーホースの端部継手を配置し、前記ボルトを締め込むことにより角バーとスプリンクラーホースの端具継手が固定される構造を有している。
【０００４】
このスプリンクラー取付装置は、筒状の端部継手を角バーに固定する際、天井裏という上下に狭い空間で、スプリンクラーホース、端部継手をスプリンクラー取付装置の上部から落とし込む工法を使用せざるをえず、端部継手等を上下に移動させなければならず、大変に手間がかかり、作業員にとって苦痛な作業を強いていた。
【先行技術文献】
【特許文献】
【０００５】
【特許文献１】特開平７−１５１２６９号公報
【発明の概要】
【発明が解決しようとする課題】
【０００６】
そこで、本発明は、前記固定作業が素早くかつ容易にすることができるスプリンクラー取付装置を提供することを目的とする。
【課題を解決するための手段】
【０００７】
前記課題は、下記（１）〜（６）の構成の本発明のスプリンクラー取付装置により達成される。
（１）
スプリンクラーヘッドを接続するスプリンクラーホースの端部継手を角バーに固定するスプリンクラー取付装置において、
ブラケットを備え、
前記ブラッケットは、第１部材および第２部材を備え、
前記第１部材は、前記端部継手を挟み込むだけの間隔を有する一対の側板、およびそれらの端部にまたがり、雌ねじ孔を有する前板を備え、前記一対の側板の後部には、前記角バーに引き掛けるためのフック部が形成されており、
前記第２部材は、前記第１部材の前板と対向し、前記第１部材の雌ねじ孔と同軸の孔を有する第２部材前板、およびこの第２部材前板から第１部材側に延び、前記角バーと協働して前記端部継手を固定する少なくとも１枚の端部継手保持板が設けられており、この端部継手保持板は、スプリンクラーホースの端部継手の外形の一部を収容する形状になっており、
前記第１部材を、前記一対の側板の間に前記端部継手を挟み込んだ状態で、前記フック部にて前記角バーに引き掛け、この状態で、前記第２部材側からボルトを前記第２部材の孔を通して第１部材の雌ねじ孔に螺合させ、これを締め上げることにより、前記端部継手を前記角バーに固定する
ことを特徴とするスプリンクラー取付装置。
（２）
前記第1部材の前板が雌ねじ孔に代えてネジ無し孔を有し、前記前板の前記端部継手側にネジ部品を装着した前記（１）のスプリンクラー取付装置。
（３）
前記第２部材には、前記第２部材前板の両側部から前記第１部材側に延び、前記ボルトが締め付けられるとき、前記第２部材を前記第１部材側に案内する一対の案内板が設けられている前記（１）または（２）のスプリンクラー取付装置。
（４）
前記ボルトが蝶ボルトである前記（１）〜（３）のいずれかのスプリンクラー取付装置。
（５）
前記端部継手が、前記角バー側を平坦面とする多角形状であり、前記端部継手保持板が、該端部継手保持板側の端部継手の面を支える凹部を有している前記（１）〜（４）のいずれかのスプリンクラー取付装置。
（６）
前記第１部材のフック部には、前記角バーの下面と接触する突出部が設けられている前記（１）〜（５）のいずれかのスプリンクラー取付装置。
【発明の効果】
【０００８】
本発明のスプリンクラー取付装置によれば、前記第１部材を、前記一対の側板の間に前記端部継手を挟み込んだ状態で、前記フック部にて前記角バーに引き掛け、この状態で、前記第２部材側からボルトを前記第２部材および第１部材の雌ねじ孔またはその背後に設置されるねじ部品に螺合させ、これを締め上げることにより、前記端部継手を前記角バーに固定することができる。従って、ブラケットをほとんど上下動させることなく、端部継手を前記角バーに固定することができ、作業者にとって、作業が容易である。
【図面の簡単な説明】
【０００９】
【図１】本発明のスプリンクラー取付装置の一実施形態を示す斜視図である。
【図２】図１に示したスプリンクラー取付装置の平面図であるである。
【図３】図１に示したスプリンクラー取付装置の底面図である。
【図４】図１に示したスプリンクラー取付装置の正面図であるである。
【図５】図１に示したスプリンクラー取付装置の背面図である。
【図６】図１に示したスプリンクラー取付装置の右側面図である。
【図７】図１に示したスプリンクラー取付装置の左側面図である。
【図８】図１に示したスプリンクラー取付装置の分解斜視図である。
【図９】図１に示したスプリンクラー取付装置を用いてのスプリンクラーホースの端部継手の角バーへの取付状態を示す斜視図である。
【図１０】本発明のスプリンクラー取付装置のうち、前記第1部材の前板の孔をネジ無し孔にした実施形態を示す分解斜視図である。
【図１１】本発明のスプリンクラー取付装置のうち、前記第1部材の前板の孔をネジ無し孔にした、もうひとつの実施形態を示す分解斜視図である。
【発明を実施するための形態】
【００１０】
スプリンクラーホースの端部継手Ｓ（図９参照）は、外側が多角形で形成され、その端部にスプリンクラーヘッドを接続するための取り付け口を有している。材料としては、例えば、アルミ、鉄、鉄鋳物、その他金属、樹脂等が挙げられる。なお、スプリンクラーホースには配管継手も含まれている。
【００１１】
図１は、本発明の一実施形態によるスプリンクラー取付装置１０の斜視図である。
スプリンクラー取付装置１０は、ブラケット１２を備えている。このブラッケット１２は、第１部材１４および第２部材４０を備えている。前記第１部材１４は、前記端部継手Sを挟み込むだけの間隔を有する一対の側板１６、１８、およびそれらの端部にまたがり、雌ねじ孔２０を有する前板２２を備え、前記一対の側板１６、１８の後部には、角バーBに引き掛けるためのフック部２４、２６が形成されている。前記端部継手Ｓの多角形は、例えば、角バーＢ側を平坦面とする4角〜10角形であることが好ましい。
【００１２】
前記第２部材４０は、前記第１部材１４の前板２２と対向し、前記第１部材の雌ねじ孔２０と同軸の孔４２を有する第２部材前板４４、およびこの第２部材前板４４から第１部材側１４に延び、前記角バーと協働して前記端部継手を固定する端部継手保持板４６、４８が設けられている。この端部継手保持板４６は、前記第２部材前板４４の上縁、下縁から水平方向に平行に延びていることが好ましい。これらの端部継手保持板４６、４８は、スプリンクラーホースの端部継手の外形の一部を収容する形状になっている。具体的には、第１部材１４側に向いた台形の凹部４６ａ、４８ａが設けられている。また、第２部材前板４４の両側縁からは、一旦該第２部材前板４４から所定長さ延び、そこから前記第１部材１４側に、前記側板１６、１８に沿って延びる案内板５０、５２が設けられていることが好ましい。この案内板５０、５２は、第２部材４０が第１部材１４に対して移動するのを補助する役割を果たすものである。
【００１３】
以上説明したブラケット１２は、前記第１部材１４を、前記一対の側板１６、１８の間に前記端部継手Ｓを挟み込んだ状態で、前記フック部２４、２６にて前記角バーＢに引き掛け、この状態で、前記第２部材側からボルトＣを前記第２部材の孔４２を通して第１部材１４の雌ねじ孔２０に螺合させ、これを締め上げることにより、前記角バーＢと第２部材４０の前記端部継手保持板４６、４８に前記端部継手Ｓを強固に挟み込み、前記角バーＢに固定するようになっている。
【００１４】
前記案内板５０、５２は、前記ボルトＣが締め付けられるとき、前記第２部材４０を前記第１部材１４側に案内する役目を果たす。
前記ボルトＣは、蝶ボルトであることが好ましい。
【００１５】
図１０は本発明のスプリンクラー取付装置のうち、前記第1部材の前板２２の雌ねじ孔２０を例えばドリル孔であるネジ無し孔３０に代えた実施形態を示す分解斜視図である。前記ボルトＣを前記前板２２の前記端部継手Ｓ側に設置されたねじ部品ナットＤに締めこむことで、前記角バーＢと前記第２部材４０の端部継手保持板４６、４８に前記端部継手Ｓを強固に挟み込み、前記角バーＢに固定するようになっている。
【００１６】
前記ねじ部品ナットＤは前記前板22に対し回り止めを施した方が望ましい。
その回り止め方法に制限は無いが、その一例として前記前板２２には案内板３１、３２が有り、これを前記ねじ部品ナットＤの角に当ててナットＤの回り止めにすることができる。
【００１７】
図１１は前記ねじ部品ナットＤの代わりにねじ部品ボルトＥを取り付けた実施形態を示す分解斜視図である。この場合、前記蝶ボルトＣの代わりにナットＦを用いる。この場合ナットＦは蝶ナットを用いることが望ましい。
【００１８】
前記ねじ部品ボルトＥは前記前板２２に対し回り止めを施した方が望ましい。
その回り止め方法に制限は無いが、その一例として前記前板２２には案内板３１、３２が有り、これを前記ねじ部品ボルトＥの角に当ててボルトＥの回り止めにすることができる。
【００１９】
以上説明したように、本発明のスプリンクラー取付装置によれば、素早く、かつ容易にスプリンクラーホースの端部継手を天井裏の角バーに固定することができる。
【符号の説明】
【００２０】
１０  スプリンクラー取付装置
１２  ブラケット
１４  第１部材
１６、１８  側板
２０  雌ねじ孔
２２  前板
４０  第２部材
４２  孔
４４  前板
４６、４８  端部継手保持板
５０、５２  案内板
Ｂ  角バー
Ｓ  端部継手
Ｃ  ボルト
Ｄ  ねじ部品ナット
Ｅ  ねじ部品ボルト
Ｆ  ねじ部品ナット
【図１】
2017006222.tif 000003
【図２】
2017006222.tif 000004
【図３】
2017006222.tif 000005
【図４】
2017006222.tif 000006
【図５】
2017006222.tif 000007
【図６】
2017006222.tif 000008
【図７】
2017006222.tif 000009
【図８】
2017006222.tif 000010
【図９】
2017006222.tif 000011
【図１０】
2017006222.tif 000012
【図１１】
2017006222.tif 000013